(57)【要約】【課題】従来のティーバッグは、殆どが合理性のみを追及して矩形または三角錐状に形成されており、何等変哲のない簡素な形態であり、見栄えも良くなく、見た目の面白みや、意匠的価値の全くないものであった。【解決手段】ハート型、星型、フルーツ型、動物型、またはキャラクター型等の意匠的外観を呈する袋体４と、該袋体４内に収納される紅茶、緑茶、玄米茶、ほうじ茶等の茶葉５とでティーバッグ１を構成した。前記袋体４は、二枚のフィルター２、３を合わせて超音波で融着して意匠的外観を呈する形状に形成した。【選択図】図１
0003116503.tif 000002
【実用新案登録請求の範囲】
【請求項１】
ハート型、星型、フルーツ型、動物型、またはキャラクター型等の意匠的外観を呈する袋体と、該袋体内に収納される紅茶、緑茶、玄米茶、ほうじ茶等の茶葉とで構成されることを特徴とするティーバッグ。
【請求項２】
前記袋体を、二枚のフィルターを合わせて超音波で融着して意匠的外観を呈する形状に形成したことを特徴とする請求項１記載のティーバッグ。
【請求項３】
基板と、意匠的外観を呈する形状の孔部を一つまたは複数開口した金型と、超音波を発する融着切断具とを備えることを特徴とするティーバッグ製造装置。
【請求項４】
前記金型の孔部の内周面上部を、アール形に形成したことを特徴とする請求項３記載のティーバッグ製造装置。
【考案の詳細な説明】
【技術分野】
【０００１】
本考案は、紅茶、緑茶、玄米茶、ほうじ茶等の茶（以下単に茶という）を、袋体に収納し、袋体のまま熱湯に入れて茶を抽出させるティーバッグに係り、特に外観が良くて、おしゃれなティーバッグ及びその製造装置に関するものである。
【背景技術】
【０００２】
従来のティーバッグ１０１は、図１０に示したように、濾過紙、樹脂ネット、布などで構成し、略直方体状や三角錐状等で上方または一部を開放した袋１０４に所定量の茶葉を入れて、その開放部を閉じて、固定部材１１０で、抽出液から取り出しやすいように糸１０９（タック糸）とともに固定したものが一般的である。
【特許文献１】特開２００４−１３５７９１号公報
【特許文献２】特開２００２−１４５３２１号公報
【考案の開示】
【考案が解決しようとする課題】
【０００３】
しかし従来のティーバッグは、殆どが合理性のみを追及して矩形または三角錐状に形成されており、何等変哲のない簡素な形態であり、見栄えも良くなく、見た目の面白みや、意匠的価値の全くないものであった。本考案においては、従来のティーバッグに比べて、外観上の面白み、楽しみ、可愛らしさを有する意匠的価値があり、視覚的にも楽しむことができるティーバッグを提供することを目的としている。
【課題を解決するための手段】
【０００４】
本考案の解決しようとする課題は以上の如くであり、次にこの課題を解決するための手段を説明する。
【０００５】
即ち、請求項１においては、ハート型、星型、フルーツ型、動物型、またはキャラクター型等の意匠的外観を呈する袋体と、該袋体内に収納される紅茶、緑茶、玄米茶、ほうじ茶等の茶葉とで、ティーバッグを構成したものである。
【０００６】
請求項２においては、前記袋体を、二枚のフィルターを合わせて超音波で融着して意匠的外観を呈する形状に形成したものである。
【０００７】
請求項３においては、ティーバッグ製造装置を、基板と、意匠的外観を呈する形状の孔部を一つまたは複数開口した金型と、超音波を発する融着切断具とで構成したものである。
【０００８】
請求項４においては、前記金型の孔部の内周面上部を、アール形に形成したものである。
【考案の効果】
【０００９】
本考案の効果として、以下に示すような効果を奏する。
【００１０】
請求項１においては、意匠的外観を呈する袋体によって、外形上の面白み、楽しみ、可愛らしさを有するティーバッグを構成することができる。よって、利用者に対して、興味を引き出させることができ、購買意欲を向上させることができる。
【００１１】
請求項２においては、簡単な構成で、意匠的外観を呈するティーバッグを形成することができ、大量生産することが可能となって、製造原価も低減することができる。
【００１２】
請求項３においては、意匠的外観を呈するティーバッグを、容易に製造することができる。
【００１３】
請求項４においては、金型と前記融着切断具が接触する際、接触する面・点が少ないので、接触による雑音が軽減される。
【考案を実施するための最良の形態】
【００１４】
次に、考案の実施の形態を説明する。
図１は本考案の一実施例に係るハート型ティーバッグの平面図、図２は同じくハート型ティーバッグの平面断面図である。図３はフィルターを基板と金型で挟む状態を示す図、図４はフィルターを基板と金型で挟んだ状態を示す図、図５は融着切断具でフィルターを切断する状態を示す拡大断面図である。図６は糸を取り付けたハート型ティーバッグの平面図、図７は星型ティーバッグの平面図、図８はフルーツ型ティーバッグの平面図、図９は動物型ティーバッグの平面図、図１０は従来のティーバッグを示す図である。
【実施例１】
【００１５】
本考案のティーバッグ１は、図１、図２に示したように、表裏二枚の不織布等で構成されたフィルター２、３を重ね合わせて、その間に所定量の茶葉５を収納して、接着剤や超音波や熱融着等の接着手段により周囲を接着することで袋体４を構成してティーバッグが形成される。
【００１６】
袋体４を構成するフィルター２、３は、合成繊維不織布等により構成されて、茶葉またはその粉末等を分離できるように、繊維の素材、繊径等が適宜選択される。ただし、袋体４の構成物は不織布に限定されるものではなく、織物や網等で構成することも可能であり、茶葉やその粉末を通過させず、抽出液に溶けないものであればよい。また、該フィルター２、３同士が超音波方式や熱融着方式等で融着できるもので構成されている。
【００１７】
該フィルター２、３を融着して形成される袋体４の外形形状は、例えば、図１、図２に示したハート型のような、矩形以外の形状、すなわち意匠的外観を呈するものとしている。
袋体４の形状は、図１に示したハート型以外に、図７に示したように星型としたり、図８に示したようにりんごやトマト等の果物や野菜やその他植物や食物型としたり、図９に示したように、くまや魚や鳥や虫などの動物型やキャラクター型等に形成することが可能である。なお、その他図示しない、丸型や文字や記号、車両、船、飛行機等の乗り物型や建物や家具や文具や用具等の、意匠的外観を呈する形状で構成することが可能である。
袋体４に収納される茶葉５は、前述のように、紅茶、緑茶、玄米茶、ほうじ茶等の茶葉である。
【００１８】
このように構成されるデザイン性に優れたティーバッグ１は、従来のティーバッグ１０１と抽出力は変わるものではなく、熱湯に浸すことで、茶を効率的に抽出することができる。
なお、図６、図８に示したように、抽出液から取り出しやすいように、袋体４の一部に糸９を適宜取り付けて、ティーバッグ１を構成することもできる。この糸９の取付構成はステープル等の止め具１０や接着材等限定するものではない。
【００１９】
次に、前記ティーバッグ１を製造する基本装置について、図３、図４、図５を用いて説明する。
製造装置は、鋼板（本実施例では鉄板）等で構成した基板６と、意匠的外観を呈する形状としてハート型とした孔部７ａを一つまたは複数開口した金型７と、超音波を発する融着切断具８とで構成される。
【００２０】
基板６は、厚手で重量の大きいものを使用して超音波を発する時に発生する雑音を軽減させるようにしている。
【００２１】
前記融着切断具８には、セラミック振動子が内蔵されており、電圧を加えることで該セラミック振動子が振動を始めて超音波が発生する。この超音波はホーン（振幅拡大器）によってさらに増幅されて、ホーン先端の刃具８ａを一秒間に数万回振動させ、振動した刃具８ａが、フィルター２、３を切断、融着する。
【００２２】
前記金型７は、図５に示したように、孔部７ａの内周面上部７ｂがアール形に形成されており、前記融着切断具８の刃具８ａが接触する際に、接触する面・点ができるだけ少なくなるように構成されている。このようにして、金型７と前記融着切断具８の接触による雑音を軽減させている。
【００２３】
次に上記装置を用いたティーバッグ１の製造過程について説明する。図３に示すように、基板６の上に、下フィルター２を載置し、該フィルター２上にティーバッグ一つの中に収納する分量ずつに分けられ、前記金型７のハート型にくり抜かれた孔部７ａ・７ａ・７ａ・・の位置に合うように、茶葉５・５・５・・をそれぞれ所定位置に載置し、その上に上フィルター３を置き、更にその上に金型７を位置を合わせて載置する。
【００２４】
そして図４、図５に示すように、融着切断具８先端の刃具８ａを、基板６上に置かれたフィルター３上に当てながら、前記金型７のハート型とした孔部７ａの内形状に沿って一周させる。こうして、フィルター２、３はハート型に切断されながら融着され、茶葉５を挟んだハート型袋体４が形成されて、取り出すことでティーバッグ１が製造される。
【００２５】
上記製造工程は人手により製造することも可能であるが、機械的に自動で製造することもできる。
即ち、基板６の側方にロール状に巻かれた下フィルター２と上フィルター３を配置し、基板６上に引き出す引出手段を備える。基板６上方にはシリンダ等により構成される昇降手段により昇降される金型７を配置する。更にその上方または側方に融着切断具８を配置する。該融着切断具８はアームやアクチュエータ等を備える倣い手段に支持され、融着切断具８を倣い手段により孔部７ａの内形状に沿うように駆動可能とする。また前記金型７と基板６の間の前方（または後方）にはホッパーから繰出装置により所定量ずつ茶葉を繰り出し、ホース等により所定位置に茶葉を落下させる茶葉供給装置を配置する。
【００２６】
このような構成で、ロール状に巻かれた下フィルター２の一端を引き出して、基板６上に載せる。そして、その下フィルター２の上の所定位置に茶葉を所定量ずつ供給し、ロール状に巻かれた上フィルター３を引き出して下フィルター２上に載せる。但し、下フィルター２と上フィルター３は同じロールより引き出して切断する構成とすることも可能である。
そして、上フィルター３上に金型７を下降させて、下フィルター２と上フィルター３を圧着し、融着切断具８から超音波を発しながら上フィルター３に圧接させて孔部７ａの内形状に沿って一周させる。こうして、融着と同時に周囲が切断されてティーバッグ１が製造される。
【００２７】
なお、本実施例に示した製造装置においては、超音波を発する融着切断具８により意匠外形形状に沿って周囲を融着して切断する構成としているが、外形形状の周囲に沿って過熱したコテ等を周回させる構成とし、更に、カッター等を周回させて切断する構成とすることもできる。また、金型７自体を過熱し、または、意匠外形形状に合わせたリング状の過熱体を設けて、下フィルター２と上フィルター３の茶葉周囲を融着し、次の工程で、金型により意匠形状に打ち抜いてティーバッグ１を製造することも可能である。
【図面の簡単な説明】
【００２８】
【図１】本考案の一実施例に係るハート型ティーバッグの平面図。
【図２】同じくハート型ティーバッグの平面断面図。
【図３】フィルターを基板と金型で挟む状態を示す図。
【図４】フィルターを基板と金型で挟んだ状態を示す図。
【図５】融着切断具でフィルターを切断する状態を示す拡大断面図。
【図６】糸を取り付けたハート型ティーバッグの平面図。
【図７】星型ティーバッグの平面図。
【図８】フルーツ型ティーバッグの平面図。
【図９】動物型ティーバッグの平面図。
【図１０】従来のティーバッグを示す図。
【符号の説明】
【００２９】
１    ティーバッグ
２    フィルター
３    フィルター
４    袋体
５    茶葉
６    基板
７    金型
７ａ  孔部
８    融着切断具
【図１】
0003116503.tif 000003
【図２】
0003116503.tif 000004
【図３】
0003116503.tif 000005
【図４】
0003116503.tif 000006
【図５】
0003116503.tif 000007
【図６】
0003116503.tif 000008
【図７】
0003116503.tif 000009
【図８】
0003116503.tif 000010
【図９】
0003116503.tif 000011
【図１０】
0003116503.tif 000012